(57)【特許請求の範囲】
【請求項１】
座標系を指定する座標系制御部と、
入力された観測値の座標系を、前記座標系制御部から指定された座標系に座標変換する観測値用座標変換部と、
前記座標系制御部から指定された座標系において、前記観測値用座標変換部で座標変換することにより得られた観測値と追尾している目標の航跡との相関をとる相関処理部と、
前記相関処理部で相関がとられた結果に対して、前記座標系制御部によって指定された座標系において、フィルタリング処理を実施するフィルタリング処理部とを備え、
前記座標系制御部は、動作モードとして捜索モード又は追尾モードを時分割に行って観測値を取得する機器から前記観測値用座標変換部に入力される該観測値によって示される、該観測値を取得した機器の動作モードである捜索モード又は追尾モードに応じて、前記観測値用座標変換部、前記相関処理部および前記フィルタリング処理部で使用する座標系を該追尾装置の運用中に切り換え制御することを特徴とする追尾装置。
【請求項２】
前記座標系制御部は、前記捜索モードに応じて、前記観測値用座標変換部、前記相関処理部および前記フィルタリング処理部で使用する座標系を該追尾装置の運用中に水準補正無の直交座標系に切り換え、前記追尾モードに応じて前記座標系を該追尾装置の運用中に水準補正有の直交座標系に切り換え制御することを特徴とする請求項１記載の追尾装置。
【請求項３】
前記座標系制御部は、前記捜索モードに応じて、前記観測値用座標変換部、前記相関処理部および前記フィルタリング処理部で使用する座標系をＲＵＶ座標系に切り換え、前記追尾モードに応じて前記座標系を直交座標系に切り換え制御することを特徴とする請求項１記載の追尾装置。
【請求項４】
追尾している目標に関するデータを格納するトラックファイルと、
前記トラックファイルに格納されているデータの座標系を前記座標系制御部によって指定された座標系に変換するトラックファイル用座標変換部と、
を備えたことを特徴とする請求項１乃至請求項３のいずれか１項記載の追尾装置。
【請求項５】
前記相関処理部から出力される観測値を記録する記録部と、
前記記録部に記憶されている観測値の座標系を前記座標系制御部によって指定された座標系に変換する記録部用座標変換部と、
を備えたことを特徴とする請求項１乃至請求項４のいずれか１項記載の追尾装置。
【請求項６】
前記座標系制御部は、当該追尾装置の追尾目標数に応じて、前記観測値用座標変換部、前記相関処理部および前記フィルタリング処理部で使用する座標系を該追尾装置の運用中に切り換え制御することを特徴とする請求項１乃至請求項５のいずれか１項記載の追尾装置。
【発明の詳細な説明】
【技術分野】
【０００１】
本発明は、例えばレーダに適用される追尾装置に関し、特に多目標を追尾する技術に関する。
【背景技術】
【０００２】
図６は、非特許文献１に開示されている追尾装置の構成を主要構成要素とする従来の追尾装置の構成を示すブロック図である。この追尾装置は、観測値用座標変換部１、相関処理部２、トラックファイルメンテナンス部３、フィルタリング処理部４、トラックファイル１５および出力用座標変換部５から構成されている。観測値用座標変換部１は、図示しないレーダから送られてくる観測値の座標系Ａを、予め指定された座標系Ｂに座標変換し、この座標変換により得られた観測値を相関処理部２へ送る。
【０００３】
相関処理部２は、ゲーティング処理器１１と連結処理器１２とから構成されている。ゲーティング処理器１１は、フィルタリング処理部４の予測処理器１４から送られてくる予測値を中心とする所定幅（以下、「ゲート」という）を開き、観測値用座標変換部１から送られてくる観測値がゲート内にあるか否かを判定し、ゲート内にある観測値を連結処理器１２に送る。連結処理器１２は、ゲーティング処理器１１から送られてくるゲート内の観測値とゲートとを一対一に対応させ、換言すれば、観測値と予測値とを一対一に対応させ、トラックファイルメンテナンス部３へ送る。
【０００４】
トラックファイル１５は、追尾している目標に関する平滑値や予測値（詳細は後述する）等を格納する。トラックファイルメンテナンス部３は、相関処理部２から送られてくるゲート内の観測値とゲートとに基づいて、トラックファイル１５を更新する。具体的には、トラックファイルメンテナンス部３は、例えば、相関処理部２から送られてくる観測値が従来の観測値と相関がない場合は、新たな目標である旨を認識してトラックファイル１５を新たに作成したり、観測値が連続的に観測されない場合は、トラックファイル１５を削除したりする処理を実行する。
【０００５】
フィルタリング処理部４は、平滑処理器１３と予測処理器１４とから構成されている。平滑処理器１３は、相関処理部２から連結がとれた観測値が入力されると、予測処理器１４から送られてくる予測値を用いて平滑処理を実施することにより平滑値を生成し、この生成した平滑値をトラックファイル１５へ送る。予測処理器１４は、トラックファイル１５に格納されているデータを用いて予測処理を実施することにより予測値を生成し、この生成した予測値を相関処理部２とトラックファイル１５とに送る。
【０００６】
出力用座標変換部５は、外部とインタフェースするために必要なデータのうち、座標変換が必要なデータをトラックファイル１５から入力し、予め設定された出力用座標系Ｃに変換して出力する。例えば、出力用座標系Ｃが北基準直交座標系の場合、出力用座標変換部５は、座標系Ｂの平滑値を北基準直交座標系の平滑値に変換して出力する。
【０００７】
次に、上記のように構成される従来の追尾装置の動作を、図７に示すフローチャートを参照しながら説明する。以下では、入力された観測値の座標系Ａを座標系Ｂに変換した後に、追尾処理を実行する場合を例に挙げて説明する。ここで、座標系Ｂは直交座標系とする。
【０００８】
まず、座標系が選択される（ステップＳ５１）。すなわち、入力された観測値の座標系Ａを座標系Ｂに変換すべき旨が図示しない操作装置によって指定される。次いで、観測値等が入力される（ステップＳ５２）。すなわち、図示しないレーダから送られてくる観測値およびこの観測値が得られた際の動作モード（捜索または追尾）を示すデータが観測値用座標変換部１に入力される。
【０００９】
次いで、観測値の座標変換が行われる（ステップＳ５３）。すなわち、観測値用座標変換部１は、入力された観測値の座標系Ａを、ステップＳ５１において選択された座標系Ｂに座標変換し、この座標変換により得られた直交座標系の観測値を相関処理部２へ送る。なお、観測値用座標変換部１から出力される観測値の座標系は、任意に選択できるが、一度座標系を決定すると、その後に変更されることはない（例えば、特許文献１参照）。
【００１０】
次いで、予測処理が行われる（ステップＳ５４）。すなわち、フィルタリング処理部４の予測処理器１４は、先の処理によってトラックファイル１５に格納されたデータを用いて予測処理を実施し、直交座標系の予測値を算出する。次いで、ゲーティング処理が行われる（ステップＳ５５）。すなわち、相関処理部２のゲーティング処理器１１は、フィルタリング処理部４の予測処理器１４から送られてくる直交座標系の予測値を中心にゲートを開き、観測値用座標変換部１から送られてくる直交座標系の観測値がゲート内にあるか否かを調べ、ゲート内にあることが判定された観測値を連結処理器１２に送る。
【００１１】
次いで、連結処理が行われる（ステップＳ５６）。すなわち、相関処理部２の連結処理器１２は、ゲーティング処理器１１から送られてくるゲート内の観測値とゲートを一対一に対応させ、トラックファイルメンテナンス部３へ送る。次いで、トラックファイルメンテナンス処理が行われる（ステップＳ５７）。すなわち、トラックファイルメンテナンス部３は、相関処理部２から送られてくるゲート内の観測値とゲートとに基づいて、トラックファイル１５の新規作成や削除を行う。また、トラックファイル１５に格納されている、追尾している目標に関する平滑値や予測値等を更新する。
【００１２】
次いで、平滑処理が行われる（ステップＳ５８）。すなわち、フィルタリング処理部４の平滑処理器１３は、相関処理部２において連結がとれた直交座標系の観測値が入力されると、予測処理器１４から出力された直交座標系の予測値を用いて、直交座標系の平滑処理を実施し、この平滑処理により得られた直交座標系の平滑値をトラックファイル１５へ格納する。なお、レーダの動作モードが追尾の場合、図７には図示していないが、予測処理が行われる。すなわち、予測処理器１４は、トラックファイル１５に格納された直交座標系のデータを用いて、直交座標系の予測処理を実施し、この予測処理により得られた直交座標系の予測値を相関処理部２とトラックファイル１５へ送る。
【００１３】
次いで、平滑値等の座標変換が行われる（ステップＳ５９）。すなわち、出力用座標変換部５は、外部とのインタフェースが必要なデータのうち、座標変換が必要なデータをトラックファイル１５から入力し、予め設定された出力用座標系Ｃに変換して出力する。例えば、出力用座標系Ｃが北基準直交座標系の場合、直交座標系の平滑値を北基準直交座標系の平滑値に変換して出力する。その後、シーケンスはステップＳ５１に戻り、上述した処理が繰り返される。
【００１４】
なお、関連する技術として、特許文献１は、追尾条件によって特性の好ましい座標系の追尾出力を選択し、追尾性能の維持を図ることができる追尾装置を開示している。この追尾装置は、追尾目標の観測値ベクトルのうち、追尾ゲート内に存在する観測値ベクトルを抽出するゲート内外判定手段、ゲート内外判定手段を介して入力される追尾目標の観測値ベクトルに基づいて北基準直交座標系で定義した追尾目標の運動緒元を出力する追尾フィルタ手段、ゲート内外判定手段を介して入力される追尾目標の観測値ベクトルに基づいて極座標系で定義した追尾目標の運動緒元を出力する追尾フィルタ手段、追尾目標との相対距離により、北基準直交座標系または極座標系のいずれかの追尾フィルタ手段の出力を選択する追尾出力選択手段および追尾出力選択手段の出力に基づいて追尾目標の観測値ベクトルが得られる領域の追尾ゲートを算出するゲート算出手段を備える。
【先行技術文献】
【特許文献】
【００１５】
【特許文献１】特開２００１−８３２４０号公報
【非特許文献】
【００１６】
【非特許文献１】吉田孝監修、「改訂レーダ技術」、初版、社団法人電子情報通信学会、平成１５年２月１５日、ｐｐ２５４−２７２
【非特許文献２】"Multiple-Target Tracking with Radar Applications", Samuel S. Blackman, ARTECH HOUSE, 1986
【非特許文献３】X. R. Li and V. P. Jilkov, "A survey of maneuvering target tracking-part III: Measurement ｍodels, "Proc. 2001 SPIE Conf. Signal and Data Processing of Small Targets, vol.4473，San Diego, CA, July-August 2001, pp. 423-446
【発明の概要】
【発明が解決しようとする課題】
【００１７】
上述した従来の追尾装置は、極座標系またはＲＵＶ座標系（非特許文献３）で追尾処理を実施する場合は、レーダから送られてくる観測値は極座標系またはＲＵＶ座標系であるので、座標変換を実施する必要がなく、また、観測値の誤差、つまり距離の誤差や、アジマス誤差またはエレベーション誤差といった角度の誤差が軸独立に得られるので共分散行列の計算が簡単になり、処理負荷を低くすることができる。
【００１８】
その反面、極座標系またはＲＵＶ座標系で追尾処理を実施する場合は、直交座標系で定義される目標の等速運動や加速運動といった動きを、極座標系またはＲＵＶ座標系に変換すると、非線形変換による運動モデルの近似化が行われるのでモデル化誤差が生じ、例えば直交座標系で等速運動をしている目標が、極座標系またはＲＵＶ座標系では等速運動に見えない事態が生じる。その結果、目標の追尾性能が低くなるという問題がある。
【００１９】
逆に、直交座標系の追尾処理を実施する場合は、運動モデルの近似化によるモデル化誤差は生じないので追尾性能を高くすることはできるが、レーダから送られてくる極座標系またはＲＵＶ座標系の観測値を直交座標系に座標変換する必要があり、また、距離や角度の誤差がＸＹＺ軸に分解されるので共分散行列の計算が複雑になり、処理負荷が高くなるという問題がある。
【００２０】
また、特許文献１に開示された追尾装置では、極座標系と直交座標系のフィルタリング処理を並列に実施（極座標系と直交座標系の追尾フィルタを並列に動作）させ、その出力を選択または合成するので、直交座標系のフィルタリング処理を単独で実施（直交座標系の追尾フィルタのみ動作）するよりも、処理負荷が高くなる。特に、多目標を追尾する場合は目標の数に応じて処理負荷が高くなり、処理能力を超えてしまう場合があるという問題がある。
【００２１】
本発明は、上述した問題を解消するためになされたものであり、その課題は、高い追尾性能を得ることができ、しかも、多目標を追尾する場合であっても処理負荷を低減することができる追尾装置を提供することにある。
【課題を解決するための手段】
【００２２】
上記課題を解決するために、請求項１記載の発明は、座標系を指定する座標系制御部と、入力された観測値の座標系を、前記座標系制御部から指定された座標系に座標変換する観測値用座標変換部と、前記座標系制御部から指定された座標系において、前記観測値用座標変換部で座標変換することにより得られた観測値と追尾している目標の航跡との相関をとる相関処理部と、前記相関処理部で相関がとられた結果に対して、前記座標系制御部によって指定された座標系において、フィルタリング処理を実施するフィルタリング処理部とを備え、前記座標系制御部は、動作モードとして捜索モード又は追尾モードを時分割に行って観測値を取得する機器から前記観測値用座標変換部に入力される該観測値によって示される、該観測値を取得した機器の動作モードである捜索モード又は追尾モードに応じて、前記観測値用座標変換部、前記相関処理部および前記フィルタリング処理部で使用する座標系を該追尾装置の運用中に切り換え制御することを特徴とする。
【００２３】
請求項２記載の発明は、請求項１記載の発明において、前記座標系制御部は、前記捜索モードに応じて、前記観測値用座標変換部、前記相関処理部および前記フィルタリング処理部で使用する座標系を該追尾装置の運用中に水準補正無の直交座標系に切り換え、前記追尾モードに応じて前記座標系を該追尾装置の運用中に水準補正有の直交座標系に切り換え制御することを特徴とする。
【００２４】
請求項３記載の発明は、請求項１記載の発明において、前記座標系制御部は、前記捜索モードに応じて、前記観測値用座標変換部、前記相関処理部および前記フィルタリング処理部で使用する座標系をＲＵＶ座標系に切り換え、前記追尾モードに応じて前記座標系を直交座標系に切り換え制御することを特徴とする。
【００２５】
請求項４記載の発明は、請求項１乃至請求項３のいずれか１項記載の発明において、追尾している目標に関するデータを格納するトラックファイルと、前記トラックファイルに格納されているデータの座標系を前記座標系制御部によって指定された座標系に変換するトラックファイル用座標変換部とを備えたことを特徴とする。
【００２６】
請求項５記載の発明は、請求項１乃至請求項４のいずれか１項記載の発明において、前記相関処理部から出力される観測値を記録する記録部と、前記記録部に記憶されている観測値の座標系を前記座標系制御部によって指定された座標系に変換する記録部用座標変換部とを備えたことを特徴とする。
【００２７】
請求項６記載の発明は、請求項１乃至請求項５のいずれか１項記載の発明において、前記座標系制御部は、当該追尾装置の追尾目標数に応じて、前記観測値用座標変換部、前記相関処理部および前記フィルタリング処理部で使用する座標系を該追尾装置の運用中に切り換え制御することを特徴とする。
【発明の効果】
【００２８】
請求項１記載の発明によれば、捜索モード又は追尾モードに応じて、追尾処理を実施する座標系を切り替え制御するので、高い追尾性能を得ることができ、しかも、多目標を追尾する場合であっても処理負荷を低減することができる。また、追尾処理全体の処理負荷を低く保ったまま、多目標の追尾を実施することが可能になる。
【図面の簡単な説明】
【００２９】
【図１】本発明の実施例１に係る追尾装置の構成を示すブロック図である。
【図２】本発明の実施例１に係る追尾装置の動作を示すフローチャートである。
【図３】本発明の実施例２に係る追尾装置の動作を示すフローチャートである。
【図４】本発明の実施例３に係る追尾装置の構成を示すブロック図である。
【図５】本発明の実施例４に係る追尾装置の構成を示すブロック図である。
【図６】従来の追尾装置の構成を示すブロック図である。
【図７】従来の追尾装置の動作を示すフローチャートである。
【発明を実施するための形態】
【００３０】
以下、本発明の実施の形態に係る追尾装置を、図面を参照しながら詳細に説明する。なお、以下では、背景技術の欄で説明した追尾装置の構成要素と同一または相当する構成要素には、背景技術の欄で使用した符号と同一の符号を付して説明する。
【実施例１】
【００３１】
図１は、本発明の実施例１に係る追尾装置の構成を示すブロック図である。この追尾装置は、図６に示した従来の追尾装置に、座標系制御部６が追加されるとともに、従来の追尾装置の観測値用座標変換部１、相関処理部２およびフィルタリング処理部４が、観測値用座標変換部１ａ、相関処理部２ａおよびフィルタリング処理部４ａにそれぞれ変更されて構成されている。
【００３２】
観測値用座標変換部１ａは、図示しないレーダから送られてくる観測値の座標系Ａを、座標系制御部６から指定された座標系Ｂ＃（＃は２以上の整数であり、実施例では１又は２）に座標変換し、この座標変換により得られた観測値を相関処理部２ａへ送る。相関処理部２ａは、座標系制御部６から指定された座標系において、観測値用座標変換部１ａで座標変換することにより得られた観測値と追尾している目標の航跡（トラックファイル１５に格納されているデータ）との相関をとり、その結果をフィルタリング処理部４ａに送る。この相関処理部２ａは、ゲーティング処理器１１と連結処理器１２とから構成されている。
【００３３】
ゲーティング処理器１１は、フィルタリング処理部４ａの予測処理器１４から送られてくる予測値を中心にゲートを開き、観測値用座標変換部１ａから送られてくる観測値がゲート内にあるか否かを判定し、ゲート内にある観測値を連結処理器１２に送る。連結処理器１２は、ゲーティング処理器１１から送られてくるゲート内の観測値とゲートとを一対一に対応させ、換言すれば、観測値と予測値とを一対一に対応させ、トラックファイルメンテナンス部３へ送る。トラックファイル１５は、追尾している目標に関する平滑値や予測値等を格納する。トラックファイルメンテナンス部３は、相関処理部２ａから送られてくるゲート内の観測値とゲートとに基づいて、トラックファイル１５の新規作成、削除及び更新を行う。
【００３４】
フィルタリング処理部４ａは、相関処理部２ａで相関がとられた結果に対して、座標系制御部６によって指定された座標系において、フィルタリング処理を実施する。このフィルタリング処理部４ａは、平滑処理器１３と予測処理器１４とから構成されている。平滑処理器１３は、相関処理部２ａから連結がとれた観測値が入力されると、予測処理器１４から送られてくる予測値を用いて平滑処理を実施することにより平滑値を生成し、この生成した平滑値をトラックファイル１５へ送る。予測処理器１４は、トラックファイル１５に格納されているデータを用いて予測処理を実施することにより予測値を生成し、この生成した予測値を相関処理部２ａとトラックファイル１５に送る。
【００３５】
出力用座標変換部５は、従来の追尾装置のそれと同様に、外部とインタフェースするために必要なデータのうち、座標変換が必要なデータをトラックファイル１５から入力し、予め設定された出力用座標系Ｃに変換して出力する。例えば、出力用座標系Ｃが北基準直交座標系の場合、出力用座標変換部５は、座標系Ｂ＃の平滑値を北基準直交座標系の平滑値に変換して出力する。
【００３６】
座標系制御部６は、入力された観測値に基づき目標の高度を計算する機能を有し、この計算により得られた高度、つまり目標の状態に応じて、観測値用座標変換部１ａ、相関処理部２ａおよびフィルタリング処理部４ａに対し、これらが使用する座標系を指定する。この座標系制御部６による座標系の変更は、当該追尾装置の運用中に動的に行われる。なお、この実施例１に係る追尾装置では、目標の状態として目標の高度を用いているが、これに限定されず、目標の状態としては、目標までの距離、目標に対する角度等を用いることもできる。
【００３７】
上記のように構成される本発明の実施例１に係る追尾装置の動作を、図２に示すフローチャートを参照しながら説明する。以下では、目標の状態に応じて座標系を切り替える例として、目標が中低高度である場合は、地表を基準とした直交座標系（以下、「局所座標系」という）による追尾処理を実施し、目標が高高度である場合は、地球の重心を基準とした直交座標系（以下、「地球基準座標系」という）による追尾処理を実施する場合について説明する。
【００３８】
座標系制御部６は、目標が中低高度である場合は、観測値用座標変換部１ａ、相関処理部２ａおよびフィルタリング処理部４ａが使用する座標系Ｂ１として局所座標系を指定し、目標が高高度である場合は、観測値用座標変換部１ａ、相関処理部２ａおよびフィルタリング処理部４ａが使用する座標系Ｂ２として、地球基準座標系を指定する。
【００３９】
まず、観測値等が入力される（ステップＳ１１）。すなわち、図示しないレーダから送られてくる観測値およびこの観測値が得られた際のレーダの動作モード（捜索または追尾）を示すデータが観測値用座標変換部１および座標系制御部６に入力される。次いで、目標の状態が調べられる（ステップＳ１２）。すなわち、座標系制御部６は、入力された観測値に基づき目標が中低高度にあるか高高度にあるかを調べる。
【００４０】
このステップＳ１２において、目標が中低高度にあることが判断されると、観測値用座標変換部１ａ、相関処理部２ａおよびフィルタリング処理部４ａが使用する座標系Ｂ１として局所座標系が選択される（ステップＳ１３）。すなわち、座標系制御部６は、局所座標系を使用すべき旨を観測値用座標変換部１ａ、相関処理部２ａおよびフィルタリング処理部４ａに指示する。
【００４１】
次いで、観測値の座標変換が行われる（ステップＳ１４）。すなわち、観測値用座標変換部１ａは、入力された観測値の座標系Ａを、座標系制御部６から指定された座標系Ｂ１である局所座標系に座標変換し、この座標変換により得られた局所座標系の観測値を相関処理部２ａへ送る。次いで、予測処理が行われる（ステップＳ１５）。すなわち、フィルタリング処理部４ａの予測処理器１４は、先の処理によってトラックファイル１５に格納されたデータを用いて予測処理を実施し、局地座標系の予測値を算出する。
【００４２】
次いで、ゲーティング処理が行われる（ステップＳ１６）。すなわち、相関処理部２ａのゲーティング処理器１１は、フィルタリング処理部４ａの予測処理器１４から送られてくる局所座標系の予測値を中心にゲートを開き、観測値用座標変換部１ａから送られてくる局所座標系の観測値がゲート内にあるか否かを調べ、ゲート内にあることが判定された観測値を連結処理器１２に送る。
【００４３】
次いで、連結処理が行われる（ステップＳ１７）。すなわち、相関処理部２ａの連結処理器１２は、ゲーティング処理器１１から送られてくるゲート内の観測値とゲートを一対一に対応させ、トラックファイルメンテナンス部３へ送る。次いで、トラックファイルメンテナンス処理が行われる（ステップＳ１８）。すなわち、トラックファイルメンテナンス部３は、相関処理部２ａから送られてくるゲート内の観測値とゲートとに基づいて、トラックファイル１５の新規作成や削除を行う。また、トラックファイル１５に格納されている、追尾している目標に関する平滑値や予測値等を更新する。
【００４４】
次いで、平滑処理が行われる（ステップＳ１９）。すなわち、フィルタリング処理部４ａの平滑処理器１３は、相関処理部２において連結がとれた局所座標系の観測値が入力されると、予測処理器１４から出力された局所座標系の予測値を用いて、局所座標系の平滑処理を実施し、この平滑処理により得られた局所座標系の平滑値をトラックファイル１５へ格納する。予測処理器１４は、トラックファイル１５に格納された局所座標系の平滑値を用いて、局所座標系の予測処理を実施し、この予測処理により得られた局所座標系の予測値を相関処理部２ａとトラックファイル１５へ送る。
【００４５】
次いで、平滑値等の座標変換が行われる（ステップＳ２０）。すなわち、出力用座標変換部５は、外部とのインタフェースが必要なデータのうち、座標変換が必要なデータをトラックファイル１５から入力し、予め設定された出力用座標系Ｃに変換して出力する。例えば、出力用座標系Ｃが北基準直交座標系の場合、局所座標系の平滑値を北基準直交座標系の平滑値に変換して出力する。その後、シーケンスはステップＳ１１に戻り、上述した処理が繰り返される。
【００４６】
上記ステップＳ１２において、目標が高高度にあることが判断されると、観測値用座標変換部１ａ、相関処理部２ａおよびフィルタリング処理部４ａが使用する座標系Ｂ２として地球基準座標系が選択される（ステップＳ２１）。すなわち、座標系制御部６は、地球基準座標系を使用すべき旨を観測値用座標変換部１ａ、相関処理部２ａおよびフィルタリング処理部４ａに指示する。
【００４７】
次いで、観測値の座標変換が行われる（ステップＳ２２）。すなわち、観測値用座標変換部１ａは、入力された観測値の座標系Ａを、座標系制御部６から指定された座標系Ｂ２である地球基準座標系に座標変換し、この座標変換により得られた地球基準座標系の観測値を相関処理部２ａへ送る。次いで、予測処理が行われる（ステップＳ２３）。すなわち、フィルタリング処理部４ａの予測処理器１４は、先の処理によってトラックファイル１５に格納されたデータを用いて予測処理を実施し、地球基準座標系の予測値を算出する。
【００４８】
次いで、ゲーティング処理が行われる（ステップＳ２４）。すなわち、相関処理部２ａのゲーティング処理器１１は、フィルタリング処理部４ａの予測処理器１４から送られてくる地球基準座標系の予測値を中心にゲートを開き、観測値用座標変換部１ａから送られてくる地球基準座標系の観測値がゲート内にあるか否かを調べ、ゲート内にあることが判定された観測値を連結処理器１２に送る。
【００４９】
次いで、連結処理が行われる（ステップＳ２５）。すなわち、相関処理部２ａの連結処理器１２は、ゲーティング処理器１１から送られてくるゲート内の観測値とゲートを一対一に対応させ、トラックファイルメンテナンス部３へ送る。次いで、トラックファイルメンテナンス処理が行われる（ステップＳ２６）。すなわち、トラックファイルメンテナンス部３は、相関処理部２ａから送られてくるゲート内の観測値とゲートとに基づいて、トラックファイル１５の新規作成や削除を行う。また、トラックファイル１５に格納されている、追尾している目標に関する平滑値や予測値等を更新する。
【００５０】
次いで、平滑処理が行われる（ステップＳ２７）。すなわち、フィルタリング処理部４ａの平滑処理器１３は、相関処理部２において連結がとれた地球基準座標系の観測値が入力されると、予測処理器１４から出力された地球基準座標系の予測値を用いて、地球基準座標系の平滑処理を実施し、この平滑処理により得られた地球基準座標系の平滑値をトラックファイル１５へ格納する。予測処理器１４は、トラックファイル１５に格納された地球基準座標系の平滑値を用いて、地球基準座標系の予測処理を実施し、この予測処理により得られた地球基準座標系の予測値を相関処理部２ａとトラックファイル１５へ送る。
【００５１】
次いで、平滑値等の座標変換が行われる（ステップＳ２８）。すなわち、出力用座標変換部５は、外部とのインタフェースが必要なデータのうち、座標変換が必要なデータをトラックファイル１５から入力し、予め設定された出力用座標系Ｃに変換して出力する。例えば、出力用座標系Ｃが北基準直交座標系の場合、地球基準座標系の平滑値を北基準直交座標系の平滑値に変換して出力する。その後、シーケンスはステップＳ１１に戻り、上述した処理が繰り返される。
【００５２】
以上説明したように、本発明の実施例１に係る追尾装置によれば、目標が中低高度の場合は、局所座標系の追尾処理を実施し、目標が高高度の場合は、地球基準座標系の追尾処理を実施するように構成したので、目標高度に応じてモデル化誤差が小さい座標系における追尾処理が可能となり、追尾性能を向上させることが可能となる。
【００５３】
なお、座標系制御部６が指定する座標系は、地球基準座標系と局所座標系に限定されるものではなく、その他の座標系を用いることもできる。
【実施例２】
【００５４】
本発明の実施例２に係る追尾装置は、当該追尾装置に観測値を供給するレーダの動作モード（捜索モードまたは追尾モード）に応じて追尾処理で使用する座標系を変更するようにしたものである。実施例２に係る追尾装置の構成は、実施例１に係る追尾装置の構成と同じであるので、説明を省略する。
【００５５】
次に、本発明の実施例２に係る追尾装置の動作を、図３に示すフローチャートを参照しながら説明する。以下では、捜索と追尾を時分割で行う多機能レーダにおいて、捜索時に捜索ビームを用いて行う追尾処理（ＴＷＳ：Track-While-Scan）を水準補正（姿勢補正）：無の直交座標系にて、追尾時に追尾ビームを用いて行う追尾処理を水準補正：有の直交座標系にて実施する場合について説明する。
【００５６】
座標系制御部６は、レーダの動作モードが捜索である場合は、観測値用座標変換部１ａ、相関処理部２ａおよびフィルタリング処理部４ａが使用する座標系Ｂ１として水準補正：無の直交座標系を指定し、レーダの動作モードが追尾である場合は、観測値用座標変換部１ａ、相関処理部２ａおよびフィルタリング処理部４ａが使用する座標系Ｂ２として、水準補正：有の直交座標系を指定する。
【００５７】
まず、観測値等が入力される（ステップＳ３１）。すなわち、図示しないレーダから送られてくる観測値およびこの観測値が得られた際のレーダの動作モード（捜索または追尾）を示すデータが観測値用座標変換部１および座標系制御部６に入力される。次いで、レーダの動作モードが調べられる（ステップＳ３２）。すなわち、座標系制御部６は、レーダの動作モードが捜索モードを示しているか追尾モードを示しているかを調べる。
【００５８】
このステップＳ３２において、捜索モードであることが判断されると、観測値用座標変換部１ａ、相関処理部２ａおよびフィルタリング処理部４ａが使用する座標系Ｂ１として水準補正：無の直交座標系が選択される（ステップＳ３３）。すなわち、座標系制御部６は、水準補正：無の直交座標系を使用すべき旨を観測値用座標変換部１ａ、相関処理部２ａおよびフィルタリング処理部４ａに指示する。
【００５９】
次いで、観測値の座標変換が行われる（ステップＳ３４）。すなわち、観測値用座標変換部１ａは、入力された観測値の座標系Ａを、座標系制御部６から指定された座標系Ｂ１である水準補正：無の直交座標系に座標変換し、この座標変換により得られた水準補正：無の直交座標系の観測値を相関処理部２ａへ送る。次いで、予測処理が行われる（ステップＳ３５）。すなわち、フィルタリング処理部４ａの予測処理器１４は、先の処理によってトラックファイル１５に格納されたデータを用いて予測処理を実施し、水準補正：無の直交座標系の予測値を算出する。
【００６０】
次いで、ゲーティング処理が行われる（ステップＳ３６）。すなわち、相関処理部２ａのゲーティング処理器１１は、フィルタリング処理部４ａの予測処理器１４から送られてくる水準補正：無の直交座標系の予測値を中心にゲートを開き、観測値用座標変換部１ａから送られてくる水準補正：無の直交座標系の観測値がゲート内にあるか否かを調べ、ゲート内にあることが判定された観測値を連結処理器１２に送る。
【００６１】
次いで、連結処理が行われる（ステップＳ３７）。すなわち、相関処理部２ａの連結処理器１２は、ゲーティング処理器１１から送られてくるゲート内の観測値とゲートを一対一に対応させ、トラックファイルメンテナンス部３へ送る。次いで、トラックファイルメンテナンス処理が行われる（ステップＳ３８）。すなわち、トラックファイルメンテナンス部３は、相関処理部２ａから送られてくるゲート内の観測値とゲートとに基づいて、トラックファイル１５の新規作成や削除を行う。また、トラックファイル１５に格納されている、追尾している目標に関する平滑値や予測値等を更新する。
【００６２】
次いで、平滑処理が行われる（ステップＳ３９）。すなわち、フィルタリング処理部４ａの平滑処理器１３は、相関処理部２において連結がとれた水準補正：無の直交座標系の観測値が入力されると、予測処理器１４から出力された水準補正：無の直交座標系の予測値を用いて、水準補正：無の直交座標系の平滑処理を実施し、この平滑処理により得られた水準補正：無の直交座標系の平滑値をトラックファイル１５へ格納する。予測処理器１４は、トラックファイル１５に格納された水準補正：無の直交座標系のデータを用いて、水準補正：無の直交座標系の予測処理を実施し、この予測処理により得られた水準補正：無の直交座標系の予測値を相関処理部２ａとトラックファイル１５へ送る。
【００６３】
次いで、平滑値等の座標変換が行われる（ステップＳ４０）。すなわち、出力用座標変換部５は、外部とのインタフェースが必要なデータのうち、座標変換が必要なデータをトラックファイル１５から入力し、予め設定された出力用座標系Ｃに変換して出力する。例えば、出力用座標系Ｃが北基準直交座標系の場合、水準補正：無の直交座標系の平滑値を北基準直交座標系の平滑値に変換して出力する。その後、シーケンスはステップＳ３１に戻り、上述した処理が繰り返される。
【００６４】
上記ステップＳ３２において、追尾モードであることが判断されると、観測値用座標変換部１ａ、相関処理部２ａおよびフィルタリング処理部４ａが使用する座標系Ｂ２として水準補正：有の直交座標系が選択される（ステップＳ４１）。すなわち、座標系制御部６は、水準補正：有の直交座標系を使用すべき旨を観測値用座標変換部１ａ、相関処理部２ａおよびフィルタリング処理部４ａに指示する。
【００６５】
次いで、観測値の座標変換が行われる（ステップＳ４２）。すなわち、観測値用座標変換部１ａは、入力された観測値の座標系Ａを、座標系制御部６から指定された座標系Ｂ２である水準補正：有の直交座標系に座標変換し、この座標変換により得られた水準補正：有の直交座標系の観測値を相関処理部２ａへ送る。次いで、予測処理が行われる（ステップＳ４３）。すなわち、フィルタリング処理部４ａの予測処理器１４は、先の処理によってトラックファイル１５に格納されたデータを用いて予測処理を実施し、水準補正：有の直交座標系の予測値を算出する。
【００６６】
次いで、ゲーティング処理が行われる（ステップＳ４４）。すなわち、相関処理部２ａのゲーティング処理器１１は、フィルタリング処理部４ａの予測処理器１４から送られてくる水準補正：有の直交座標系の予測値を中心にゲートを開き、観測値用座標変換部１ａから送られてくる水準補正：有の直交座標系の観測値がゲート内にあるか否かを調べ、ゲート内にあることが判定された観測値を連結処理器１２に送る。
【００６７】
次いで、連結処理が行われる（ステップＳ４５）。すなわち、相関処理部２ａの連結処理器１２は、ゲーティング処理器１１から送られてくるゲート内の観測値とゲートを一対一に対応させ、トラックファイルメンテナンス部３へ送る。次いで、トラックファイルメンテナンス処理が行われる（ステップＳ４６）。すなわち、トラックファイルメンテナンス部３は、相関処理部２ａから送られてくるゲート内の観測値とゲートとに基づいて、トラックファイル１５の新規作成や削除を行う。また、トラックファイル１５に格納されている、追尾している目標に関する平滑値や予測値等を更新する。
【００６８】
次いで、平滑処理が行われる（ステップＳ４７）。すなわち、フィルタリング処理部４ａの平滑処理器１３は、相関処理部２において連結がとれた水準補正：有の直交座標系の観測値が入力されると、予測処理器１４から出力された水準補正：有の直交座標系の予測値を用いて、水準補正：有の直交座標系の平滑処理を実施し、この平滑処理により得られた水準補正：有の直交座標系の平滑値をトラックファイル１５へ格納する。予測処理器１４は、トラックファイル１５に格納された水準補正：有の直交座標系のデータを用いて、水準補正：有の直交座標系の予測処理を実施し、この予測処理により得られた水準補正：有の直交座標系の予測値を相関処理部２ａとトラックファイル１５へ送る。
【００６９】
次いで、予測処理が行われる（ステップＳ４８）。すなわち、フィルタリング処理部４ａの予測処理器１４は、ステップＳ４７までの処理によってトラックファイル１５に格納されたデータを用いて予測処理を実施し、水準補正：有の直交座標系の予測値を算出する。次いで、平滑値等の座標変換が行われる（ステップＳ４９）。すなわち、出力用座標変換部５は、外部とのインタフェースが必要なデータのうち、座標変換が必要なデータをトラックファイル１５から入力し、予め設定された出力用座標系Ｃに変換して出力する。例えば、出力用座標系Ｃが北基準直交座標系の場合、水準補正：有の直交座標系の平滑値を北基準直交座標系の平滑値に変換して出力する。その後、シーケンスはステップＳ３１に戻り、上述した処理が繰り返される。
【００７０】
以上説明したように、本発明の実施例２に係る追尾装置によれば、レーダの動作モードが捜索の場合は、追尾性能および処理負荷が共に低い水準補正：無の直交座標系の追尾処理を実施し、レーダの動作モードが追尾の場合は、追尾性能および処理負荷が共に高い水準補正：有の直交座標系の追尾処理を実施するので、捜索の多目標化と追尾の高性能化を実現することができる。
【実施例３】
【００７１】
本発明の実施例３に係る追尾装置は、例えば高度の変化に伴って座標系が切り換えられた場合や、捜索ビームによる追尾処理と追尾ビームによる追尾処理との切り換えに伴って座標系が切り換えられた場合に、トラックファイル１５の中のデータの座標変換を行って、切り換え後においても、切り換え前の座標系で使用していたデータの有効活用を図るものである。
【００７２】
図４は、本発明の実施例３に係る追尾装置の構成を示すブロック図である。この追尾装置は、実施例２に係る追尾装置の構成に、トラックファイル用座標変換部７が追加されて構成されている。トラックファイル用座標変換部７は、座標系制御部６からの指示に応じて、航跡番号ｉの目標のトラックファイル１５からＲＵＶ座標系のデータを入力して直交座標系のデータに変換し、または、航跡番号ｉの目標のトラックファイル１５から直交座標系のデータを入力してＲＵＶ座標系のデータに変換し、トラックファイル１５へ送る。
【００７３】
次に、上記のように構成される本発明の実施例３に係る追尾装置の動作を説明する。以下では、捜索と追尾を時分割で行う多機能レーダにおいて、捜索時に捜索ビームを用いて行う追尾処理（ＴＷＳ）をＲＵＶ座標系にて実施し、追尾時に追尾ビームを用いて行う追尾処理を直交座標系にて実施する例を示す。
【００７４】
実施例３に係る追尾装置の動作は、基本的には、図３のフローチャートに示した実施例２に係る追尾装置の動作と同じである。したがって、以下では、図３に示すフローチャートを参照しながら、実施例２と相違する部分を中心に、追尾処理を説明する。
【００７５】
座標系制御部６は、レーダの動作モードが捜索である場合は、観測値用座標変換部１ａ、相関処理部２ａおよびフィルタリング処理部４ａが使用する座標系Ｂ１として、入力された観測値の座標系Ａと同じＲＵＶ座標系を指定する。
【００７６】
まず、観測値等が入力される（ステップＳ３１）。次いで、レーダの動作モードが調べられる（ステップＳ３２）。このステップＳ３２において、捜索モードであることが判断されると、観測値用座標変換部１ａ、相関処理部２ａおよびフィルタリング処理部４ａが使用する座標系Ｂ１としてＲＵＶ座標系が選択される（ステップＳ３３）。すなわち、座標系制御部６は、ＲＵＶ座標系を使用すべき旨を観測値用座標変換部１ａ、相関処理部２ａおよびフィルタリング処理部４ａに指示する。
【００７７】
次いで、観測値の座標変換が行われる（ステップＳ３４）。すなわち、観測値用座標変換部１ａは、座標系制御部６から指定された座標系がＲＵＶ座標系の場合、観測値をそのまま相関処理部２ａへ送る。次いで、予測処理が行われる（ステップＳ３５）。すなわち、フィルタリング処理部４ａの予測処理器１４は、先の処理によってトラックファイル１５に格納されたデータを用いて予測処理を実施し、ＲＵＶ座標系の予測値を算出する。
【００７８】
次いで、ゲーティング処理が行われる（ステップＳ３６）。すなわち、相関処理部２ａのゲーティング処理器１１は、フィルタリング処理部４ａの予測処理器１４から送られてくるＲＵＶ座標系の予測値を中心にゲートを開き、観測値用座標変換部１ａから送られてくるＲＵＶ座標系の観測値がゲート内にあるか否かを調べ、ゲート内にあることが判定された観測値を連結処理器１２に送る。
【００７９】
次いで、連結処理が行われる（ステップＳ３７）。すなわち、相関処理部２ａの連結処理器１２は、ゲーティング処理器１１から送られてくるゲート内の観測値とゲートを一対一に対応させ、トラックファイルメンテナンス部３へ送る。次いで、トラックファイルメンテナンス処理が行われる（ステップＳ３８）。すなわち、トラックファイルメンテナンス部３は、相関処理部２ａから送られてくるゲート内の観測値とゲートとに基づいて、トラックファイル１５に格納されている、追尾している目標に関する平滑値や予測値等を更新する。
【００８０】
次いで、平滑処理が行われる（ステップＳ３９）。すなわち、フィルタリング処理部４ａの平滑処理器１３は、相関処理部２において連結がとれたＲＵＶ座標系の観測値が入力されると、予測処理器１４から出力されたＲＵＶ座標系の予測値を用いて、ＲＵＶ座標系の平滑処理を実施し、この平滑処理により得られたＲＵＶ座標系の平滑値をトラックファイル１５へ格納する。予測処理器１４は、トラックファイル１５に格納されたＲＵＶ座標系のデータを用いて、ＲＵＶ座標系の予測処理を実施し、この予測処理により得られたＲＵＶ座標系の予測値を相関処理部２ａとトラックファイル１５へ送る。
【００８１】
次いで、平滑値等の座標変換が行われる（ステップＳ４０）。すなわち、出力用座標変換部５は、外部とのインタフェースが必要なデータのうち、座標変換が必要なデータをトラックファイル１５から入力し、予め設定された出力用座標系Ｃに変換して出力する。例えば、出力用座標系Ｃが北基準直交座標系の場合、ＲＵＶ座標系の平滑値を北基準直交座標系の平滑値に変換して出力する。その後、シーケンスはステップＳ３１に戻り、上述した処理が繰り返される。
【００８２】
上記ステップＳ３２において、追尾モードであることが判断されると、観測値用座標変換部１ａ、相関処理部２ａおよびフィルタリング処理部４ａが使用する座標系Ｂ２として直交座標系が選択される（ステップＳ４１）。すなわち、座標系制御部６は、直交座標系を使用すべき旨を観測値用座標変換部１ａ、相関処理部２ａおよびフィルタリング処理部４ａに指示する。
【００８３】
次いで、観測値の座標変換が行われる（ステップＳ４２）。すなわち、観測値用座標変換部１ａは、追尾ビームによって検出された観測値が入力された場合、ＲＵＶ座標系の観測値を、座標系制御部６から指定された直交座標系Ｂ２の観測値に座標変換し、この座標変換により得られた直交座標系の観測値を相関処理部２ａへ送る。次いで、予測処理が行われる（ステップＳ４３）。すなわち、フィルタリング処理部４ａの予測処理器１４は、先の処理によってトラックファイル１５に格納されたデータを用いて予測処理を実施し、ＲＵＶ座標系の予測値を算出する。
【００８４】
次いで、ゲーティング処理が行われる（ステップＳ４４）。すなわち、相関処理部２ａのゲーティング処理器１１は、フィルタリング処理部４ａの予測処理器１４から送られてくる直交座標系の予測値を中心にゲートを開き、観測値用座標変換部１ａから送られてくる直交座標系の観測値がゲート内にあるか否かを調べ、ゲート内にあることが判定された観測値を連結処理器１２に送る。
【００８５】
次いで、連結処理が行われる（ステップＳ４５）。すなわち、相関処理部２ａの連結処理器１２は、ゲーティング処理器１１から送られてくるゲート内の観測値とゲートを一対一に対応させ、トラックファイルメンテナンス部３へ送る。次いで、トラックファイルメンテナンス処理が行われる（ステップＳ４６）。すなわち、トラックファイルメンテナンス部３は、相関処理部２ａから送られてくるゲート内の観測値とゲートとに基づいて、トラックファイル１５に格納されている、追尾している目標に関する平滑値や予測値等を更新する。
【００８６】
次いで、平滑処理が行われる（ステップＳ４７）。すなわち、フィルタリング処理部４ａの平滑処理器１３は、相関処理部２において連結がとれた直交座標系の観測値が入力されると、予測処理器１４から出力された直交座標系の予測値を用いて、直交座標系の平滑処理を実施し、この平滑処理により得られた直交座標系の平滑値をトラックファイル１５へ格納する。予測処理器１４は、トラックファイル１５に格納された直交座標系のデータを用いて、直交座標系の予測処理を実施し、この予測処理により得られた直交座標系の予測値を相関処理部２ａとトラックファイル１５へ送る。
【００８７】
次いで、予測処理が行われる（ステップＳ４８）。すなわち、フィルタリング処理部４ａの予測処理器１４は、トラックファイル１５に格納されたデータを用いて予測処理を実施し、直交座標系の予測値を算出する。次いで、平滑値等の座標変換が行われる（ステップＳ４９）。すなわち、出力用座標変換部５は、外部とのインタフェースが必要なデータのうち、座標変換が必要なデータをトラックファイル１５から入力し、予め設定された出力用座標系Ｃに変換して出力する。例えば、出力用座標系Ｃが北基準直交座標系の場合、直交座標系の平滑値を北基準直交座標系の平滑値に変換して出力する。その後、シーケンスはステップＳ３１に戻り、上述した処理が繰り返される。
【００８８】
捜索ビームによる追尾処理を実施している航跡番号ｉの目標を追尾ビームによる追尾処理に切り替える場合は、座標系制御部６は、トラックファイル用座標変換部７に、航跡番号ｉの目標のトラックファイル１５の座標系を直交座標系に変換するように指示する。トラックファイル用座標変換部７は、この指示に応答して、航跡番号ｉの目標のトラックファイル１５からＲＵＶ座標系のデータを入力し、これを直交座標系のデータに変換し、トラックファイル１５へ送る。これにより、従前から直交座標系で追尾処理が行われていた状態と同じになる。以降の処理は、レーダの動作モードが追尾の場合の処理と同じである。
【００８９】
逆に、追尾ビームによる追尾処理を実施している航跡番号ｉの目標を捜索ビームによる追尾処理に切り替える場合は、座標系制御部６は、トラックファイル用座標変換部７に、航跡番号ｉの目標のトラックファイル１５の座標系をＲＵＶ座標系に変換するように指示する。トラックファイル用座標変換部７は、この指示に応答して、航跡番号ｉの目標のトラックファイル１５から直交座標系のデータを入力し、これをＲＵＶ座標系のデータに変換し、トラックファイル１５へ送る。これにより、従前からＲＵＶ座標系で追尾処理が行われていた状態と同じになる。以降の処理は、レーダの動作モードが捜索の場合の処理と同じである。
【００９０】
以上説明したように、本発明の実施例３に係る追尾装置によれば、レーダの動作モードが捜索の場合は、追尾性能および処理負荷が共に低いＲＵＶ座標系の追尾処理を実施し、レーダの動作モードが追尾の場合は、追尾性能および処理負荷が共に高い直交座標系の追尾処理を実施するので、捜索の多目標化と追尾の高性能化を実現することができる。
【実施例４】
【００９１】
本発明の実施例４に係る追尾装置は、座標系の切り換え時に、過去の複数個の観測値を使用することにより、切り換え時に伴う再初期化の誤差を小さくするようにしたものである。
【００９２】
図５は、本発明の実施例４に係る追尾装置の構成を示すブロック図である。この追尾装置は、実施例３に係る追尾装置の構成に、記録部８および記録部用座標変換部９が追加されて構成されている。記録部８は、レーダの動作モードに関係なく、相関処理部２ａから出力される予測ゲート内のＲＵＶ座標系または直交座標系の観測値を記録する。この記録部８に記録されている観測値は、記録部用座標変換部９によって参照される。記録部用座標変換部９は、座標系制御部６からの指示に応じて、記録部８から読み出した航跡番号ｉの目標の過去ｊ回分のＲＵＶ座標系の観測値を入力し、これを直交座標系のデータに変換してフィルタリング処理部４ａへ送る。
【００９３】
次に、上記のように構成される本発明の実施例４に係る追尾装置の動作を説明する。以下では、捜索と追尾を時分割で行う多機能レーダにおいて、捜索時に捜索ビームを用いて行う追尾処理（ＴＷＳ）をＲＵＶ座標系にて実施し、追尾時に追尾ビームを用いて行う追尾処理を直交座標系にて実施する例を示す。
【００９４】
実施例４に係る追尾装置の動作は、基本的には、図３のフローチャートに示した実施例２に係る追尾装置の動作と同じである。したがって、以下では、実施例２と相違する部分を中心に説明する。なお、レーダの動作モードが捜索と追尾の場合の処理は、上述した実施例３の処理と同じである。
【００９５】
捜索ビームによる追尾処理を実施している航跡番号ｉの目標を追尾ビームによる追尾処理に切り替える場合は、座標系制御部６は、記録部用座標変換部９に、記録部８の航跡番号ｉの目標の座標系を直交座標系に変換するように指示する。記録部用座標変換部９は、この指示に応答して、記録部８から航跡番号ｉの目標の過去ｊ回分のＲＵＶ座標系の観測値を入力し、これを直交座標系のデータに変換し、フィルタリング処理部４ａへ送る。フィルタリング処理部４ａは、記録部用座標変換部９から過去ｊ回分の直交座標系のデータを入力し、ｊ回分の平滑処理と予測処理を実施し、結果をトラックファイル１５に出力する。逆に、追尾ビームによる追尾処理を実施している航跡番号ｉの目標を捜索ビームによる追尾処理に切り替える場合は、実施例３と同じ処理が実施される。
【００９６】
なお、処理負荷は高くなるが、捜索から追尾への切り替えと同様に、記録部用座標変換部９により記録部８のデータを変換し、フィルタリング処理部４ａによる処理を実施するように構成することもできる。この場合、トラックファイル用座標変換部７を省略することができる。
【００９７】
以上説明したように、本発明の実施例４に係る追尾装置によれば、実施例３の追尾装置と同様に、レーダの動作モードが捜索の場合は、追尾性能および処理負荷が共に低いＲＵＶ座標系の追尾処理を実施し、レーダの動作モードが追尾の場合は、追尾性能および処理負荷が共に高い直交座標系の追尾処理を実施するので、捜索の多目標化と追尾の高性能化を実現することができる。
【００９８】
さらに、記録部用座標変換部９を用いて、記録部８に記録した過去の観測値を座標変換し、カルマンフィルタ等によるフィルタリング処理を行えば、平滑値と予測値の他に、平滑と予測の共分散行列を得ることができるため、追尾へ移行した時から、安定した追尾性能を得ることができる。
【００９９】
また、上述した実施例１〜実施例４に係る追尾装置では、動作モード（捜索または追尾）または目標の状態（高度の高低）に基づいて座標系を切り換えるように構成したが、当該追尾装置自体の処理負荷、例えば追尾している目標の数に応じて座標系を切り換えるように構成することもできる。例えば、捜索時に捜索ビームを用いて行う追尾処理（ＴＷＳ）では、追尾する目標が所定数までは直交座標系を使用し、所定数を超えたら、処理負荷が軽い極座標系またはＲＵＶ座標系を使用するように切り換えるように構成できる。
【産業上の利用可能性】
【０１００】
本発明は、レーダセンサやソナーセンサなどの追尾装置に適用可能である。
【符号の説明】
【０１０１】
１  観測値用座標変換部
１ａ  観測値用座標変換部
２  相関処理部
２ａ  相関処理部
３  トラックファイルメンテナンス部
４  フィルタリング処理部
４ａ  フィルタリング処理部
５  出力用座標変換部
６  座標系制御部
７  トラックファイル用座標変換部
８  記録部
９  記録部用座標変換部
１１  ゲーティング処理器
１２  連結処理器
１３  平滑処理器
１４  予測処理器
１５  トラックファイル
【図１】
0005422727.tif 000002
【図２】
0005422727.tif 000003
【図３】
0005422727.tif 000004
【図４】
0005422727.tif 000005
【図５】
0005422727.tif 000006
【図６】
0005422727.tif 000007
【図７】
0005422727.tif 000008